(57)【要約】【課題】プレゼンテーション技術の習熟に好適な投影装置を提供する。【解決手段】入力された画像信号に基づく光像を形成して投影表示する空間的光変調素子３６、光源ランプ３７及び投影レンズ１２と、その投影方向に対向し、投影画角より広い撮影画角を含んだ撮影画角の可変機能を有した撮影レンズ１３及びＣＣＤ４０と、撮影した画像信号を記録する画像圧縮／伸長部４２及びメモリカード４３とを備える。【選択図】    図３
2005020282.tif 000002
【特許請求の範囲】
【請求項１】
入力された画像信号に基づく光像を形成して投影表示する投影手段と、
この投影手段の投影方向に対向し、該投影手段の投影画角より広い撮影画角を含んだ撮影画角の可変機能を有した撮像手段と、
この撮影手段で得た画像信号を記録する記録手段と
を具備したことを特徴とする投影装置。
【請求項２】
所定のモードを指定する指定手段と、
この指定手段での指定に基づいて上記撮像手段の撮影画角を上記投影手段の投影画角より広く設定する撮影制御手段と
をさらに具備したことを特徴とする請求項１記載の投影装置。
【請求項３】
上記撮像手段は、撮影画像中の複数位置から１つを選択して自動合焦する自動合焦機能を有し、
上記撮影制御手段は、上記指定手段での指定に基づいて上記投影手段の投影方向に対応した上記撮像手段による自動合焦位置を指定する
ことを特徴とする請求項２記載の投影装置。
【請求項４】
上記撮影制御手段が指定する上記撮像手段による自動合焦位置を、任意に選択する選択手段をさらに具備したことを特徴とする請求項３記載の投影装置。
【請求項５】
上記撮像手段は、上記投影手段の投影タイミングとのフレーム同期をとった動画を撮影することを特徴とする請求項１記載の投影装置。
【請求項６】
上記記録手段は、上記撮影手段で得た画像信号を外部接続される機器へ出力して記録させることを特徴とする請求項１記載の投影装置。
【請求項７】
入力された画像信号に基づく光像を形成して投影表示する投影工程と、
この投影工程での投影方向に対向し、その投影画角より広い撮影画角を含んだ撮影画角の可変機能を有した撮像部で撮影を行なう撮影工程と、
この撮影工程で得た画像信号を記録する記録工程と、
所定のモードを指定する指定工程と、
この指定工程での指定に基づいて上記撮像部の撮影画角を上記投影工程での投影画角より広く設定する撮影制御工程と
を有したことを特徴とする投影装置の記録方法。
【請求項８】
入力された画像信号に基づく光像を形成して投影表示する投影ステップと、
この投影ステップでの投影方向に対向し、その投影画角より広い撮影画角を含んだ撮影画角の可変機能を有した撮像部で撮影を行なう撮影ステップと、
この撮影ステップで得た画像信号を記録する記録ステップと、
所定のモードを指定する指定ステップと、
この指定ステップでの指定に基づいて上記撮像部の撮影画角を上記投影ステップでの投影画角より広く設定する撮影制御ステップと
をコンピュータに実行させることを特徴とするプログラム。
【発明の詳細な説明】
【０００１】
【発明の属する技術分野】
本発明は、特にプレゼンテーションで使用するプロジェクタ等に好適な投影装置、投影装置の記録方法及びプログラムに関する。
【０００２】
【従来の技術】
入力された画像信号に基づく投影表示を行なうプロジェクタ装置にカメラ装置が組込まれており、プレゼンテーション用の資料等の被写体を撮影する一方で、撮影方向を切り換えることで、投影表示された画像の静止画撮影も行えるようにしたものが考えられている。（例えば、特許文献１参照。）
【０００３】
【特許文献１】
特開２００１−２８５６９１号公報
【０００４】
【発明が解決しようとする課題】
上記特許文献１は、被写体を撮影して投影表示するためのカメラ装置を、投影表示された静止画像の取得にも使えるようにしたもので、被写体像と、投影表示された静止画像の撮影範囲とを正確に調整することを目的としている。
【０００５】
したがって、投影表示され、撮影する対象が静止画であること、及び静止画像の範囲以外の範囲を撮影することは一切考えられていない。
【０００６】
ところで、プロジェクタ装置の大きな用途として、プレゼンテーション用のソフトウェアをインストールしたパーソナルコンピュータ等を接続してプレゼンテーションを行なうことが一般的に行なわれている。
【０００７】
この種のプレゼンテーションでは、プレゼンテーションを行なうプレゼンタの表現力が、そのプレゼンテーション中で提供されている事案や商品等の訴求力に大きく作用するため、どうしてもプレゼンタの技量が問われることになる。
【０００８】
しかるに、上記特許文献１のプロジェクタ装置では、投影表示された静止画をその範囲位置に対応して撮影するだけであり、動画等も使用されるプレゼンテーション用の画像を、プレゼンタも含めて撮影することは考えられていない。
【０００９】
本発明は上記のような実情に鑑みてなされたもので、その目的とするところは、プレゼンテーション技術の習熟に好適な投影装置、投影装置の記録方法及びプログラムを提供することにある。
【００１０】
【課題を解決するための手段】
請求項１記載の発明は、入力された画像信号に基づく光像を形成して投影表示する投影手段と、この投影手段の投影方向に対向し、該投影手段の投影画角より広い撮影画角を含んだ撮影画角の可変機能を有した撮像手段と、この撮影手段で得た画像信号を記録する記録手段とを具備したことを特徴とする。
【００１１】
このような構成とすれば、プレゼンテーションで使用する投影画像のみならず、プレゼンテーションを行なうプレゼンタの少なくとも一部をも１つの画像中に撮影することができるので、プレゼンテーションの練習風景を記録し、技術の修得に寄与できる。
【００１２】
請求項２記載の発明は、上記請求項１記載の発明において、所定のモードを指定する指定手段と、この指定手段での指定に基づいて上記撮像手段の撮影画角を上記投影手段の投影画角より広く設定する撮影制御手段とをさらに具備したことを特徴とする。
【００１３】
このような構成とすれば、上記請求項１記載の発明の作用に加えて、簡単なモード指定によりプレゼンテーションの練習風景を記録する状態に即時移行できるので、より気軽にプレゼンテーションの練習を行なうことができる。
【００１４】
請求項３記載の発明は、上記請求項２記載の発明において、上記撮像手段は、撮影画像中の複数位置から１つを選択して自動合焦する自動合焦機能を有し、上記撮影制御手段は、上記指定手段での指定に基づいて上記投影手段の投影方向に対応した上記撮像手段による自動合焦位置を指定することを特徴とする。
【００１５】
このような構成とすれば、上記請求項２記載の発明の作用に加えて、投影画像に対応した位置で自動合焦した画像を撮影することができるので、プレゼンテーションの練習風景としてより適した画像を撮影することができる。
【００１６】
請求項４記載の発明は、上記請求項３記載の発明において、上記撮影制御手段が指定する上記撮像手段による自動合焦位置を、任意に選択する選択手段をさらに具備したことを特徴とする。
【００１７】
このような構成とすれば、請求項３記載の発明の作用に加えて、例えば投影画像とプレゼンタのいずれか一方に自動合焦させるなど、プレゼンタの意図通りの画像を撮影することで、より練習効果を確認しやすくなる。
【００１８】
請求項５記載の発明は、上記請求項１記載の発明において、上記撮像手段は、上記投影手段の投影タイミングとのフレーム同期をとった動画を撮影することを特徴とする。
【００１９】
このような構成とすれば、上記請求項１記載の発明の作用に加えて、投影画像のちらつきを排除して、投影される画像の内容をより確実に視認できる。
【００２０】
請求項６記載の発明は、上記請求項１記載の発明において、上記記録手段は、上記撮影手段で得た画像信号を外部接続される機器へ出力して記録させることを特徴とする。
【００２１】
このような構成とすれば、上記請求項１記載の発明の作用に加えて、記録媒体の容量等に優れた機器を外部接続することで、空き容量等を気にせず、長時間にわたって投影内容を含んだ光景を記録することができる。
【００２２】
請求項７記載の発明は、入力された画像信号に基づく光像を形成して投影表示する投影工程と、この投影工程での投影方向に対向し、その投影画角より広い撮影画角を含んだ撮影画角の可変機能を有した撮像部で撮影を行なう撮影工程と、この撮影工程で得た画像信号を記録する記録工程と、所定のモードを指定する指定工程と、この指定工程での指定に基づいて上記撮像部の撮影画角を上記投影工程での投影画角より広く設定する撮影制御工程とを有したことを特徴とする。
【００２３】
このような方法とすれば、プレゼンテーションで使用する投影画像のみならず、プレゼンテーションを行なうプレゼンタの少なくとも一部をも１つの画像中に撮影することができるので、プレゼンテーションの練習風景を記録し、技術の修得に寄与できる。
【００２４】
請求項８記載の発明は、入力された画像信号に基づく光像を形成して投影表示する投影ステップと、この投影ステップでの投影方向に対向し、その投影画角より広い撮影画角を含んだ撮影画角の可変機能を有した撮像部で撮影を行なう撮影ステップと、この撮影ステップで得た画像信号を記録する記録ステップと、所定のモードを指定する指定ステップと、この指定ステップでの指定に基づいて上記撮像部の撮影画角を上記投影ステップでの投影画角より広く設定する撮影制御ステップとをコンピュータに実行させることを特徴とする。
【００２５】
このようなプログラム内容とすれば、プレゼンテーションで使用する投影画像のみならず、プレゼンテーションを行なうプレゼンタの少なくとも一部をも１つの画像中に撮影することができるので、プレゼンテーションの練習風景を記録し、技術の修得に寄与できる。
【００２６】
【発明の実施の形態】
以下本発明をプロジェクタ装置に適用した場合の実施の一形態について図面を参照して説明する。
【００２７】
図１は、同実施の形態に係るプロジェクタ装置１０の外観構成を示すものである。同図（Ａ）に示すように、直方体状の本体ケーシング１１の前面に、投影レンズ１２、撮影レンズ１３、マイクロホン１４、及びＩｒ受信部１５が配設される。
【００２８】
投影レンズ１２は、後述するマイクロミラー素子等の空間的光変調素子で形成された光像を投影するためのものであり、ここでは合焦位置及びズーム位置（投影画角）を任意に可変できるものとする。
【００２９】
撮影レンズ１３は、上記投影レンズ１２の最大の投影画角より広い撮影画角を有する、やはり自動合焦及びズーム可能な光学レンズ系でなり、ここでは図示しない固体撮像素子、例えばＣＣＤの撮像面に上記投影レンズ１２の投影画像を含む光像を結像させる。
【００３０】
マイクロホン１４は、動画撮影に際して上記投影レンズ１２方向の音声を集音する。
【００３１】
Ｉｒ受信部１５は、後述するリモートコントローラからのキー操作信号が重畳された赤外光（Ｉｒ）を受信する。
【００３２】
また、本体ケーシング１１の上面には、共にダイヤルリングでなるズームリング１６とフォーカスリング１７、本体メインキー／インジケータ１８、スピーカ１９、及びカバー２０が配設される。
【００３３】
ズームリング１６及びフォーカスリング１７は、上記投影レンズ１２より投影表示する画像のズーム位置及びフォーカス位置をそれぞれ手動で操作する際に使用する。
【００３４】
本体メインキー／インジケータ１８は、電源のオン／オフと自動／手動、及び入力切換等を切換操作するためのキーとその操作状態を点灯／消灯及び点灯色により表示するＬＥＤで構成されたインジケータとでなる。
【００３５】
スピーカ１９は、プレゼンテーション内容や記録した動画の再生時の音声を拡声出力する。
【００３６】
カバー２０は、ここでは図示しないサブキーを操作する際、及び後述するメモリカードの装脱の際に開閉する。該サブキーは、後述するリモートコントローラを使用せずに、上記本体メインキー／インジケータ１８では設定指示できない詳細な各種動作等を操作する。
【００３７】
さらに、図１（Ｂ）に示すように本体ケーシング１１の背面には、入出力コネクタ部２１、Ｉｒ受信部２２、及びＡＣアダプタ接続部２３が配設される。
【００３８】
入出力コネクタ部２１は、例えばパーソナルコンピュータ等の外部機器との接続のためのＵＳＢ端子、映像入力用のミニＤ−ＳＵＢ端子、Ｓ端子、及びＲＣＡ端子と、音声入力用のステレオミニ端子等からなる。
【００３９】
Ｉｒ受信部２２は、上記Ｉｒ受信部１５と同様に、後述するリモートコントローラからのキー操作信号が重畳された赤外光（Ｉｒ）を受信する。
【００４０】
ＡＣアダプタ接続部２３は、電源となる図示しないＡＣアダプタからのケーブルを接続する。
【００４１】
加えて、本体ケーシング１１の下面には、背面側に一対の固定脚部２４，２４が取り付けられると共に、前面側に高さ調節が可能な調整脚部２５が取り付けられる。
【００４２】
調整脚部２５は、そのねじ回転位置を手動で操作することにより、正確には上記投影レンズ１２の投影方向及び撮影レンズ１３の撮影方向の鉛直方向成分、すなわち仰角を調整する。
【００４３】
次いで上記プロジェクタ装置１０に付属するリモートコントローラ３０のキー配列を図２により例示する。
【００４４】
ここでは、電源をオン／オフする「Ｐｏｗｅｒ」キー、プレゼンテーション練習モードをセットする「プレゼン」キー、ＲＧＢ信号入力時にその調整を行なう「Ａｕｔｏ」キー、上記プレゼンテーション練習モードで撮影した内容を再生する「プレゼンＰＬＡＹ」キー、プロジェクタ装置１０と投影対象となるスクリーンの位置関係に伴う台形歪み補正を行なう「Ｋｅｙｓｔｏｎｅ」キー、投影する画像をミニＤ−ＳＵＢ端子からの入力画像に切り換える「ＲＧＢ／Ｃｏｍｐ．」キー、同じくＳ端子からの入力画像に切り換える「Ｓ−Ｖｉｄｅｏ」キー、同じくＲＣＡ端子からの入力画像に切り換える「Ｖｉｄｅｏ」キー、その他多数のキーを、図示する如く配列してなるものとする。
【００４５】
次に図３により上記プロジェクタ装置１０の電子回路の機能構成について説明する。図中、上記入出力コネクタ部２１より入力された各種規格の画像信号は、入力インタフェース（Ｉ／Ｆ）３１、システムバスＳＢを介して画像変換部３２で所定のフォーマットの画像信号に統一された後に、表示エンコーダ３３へ送られる。
【００４６】
表示エンコーダ３３は、送られてきた画像信号をビデオＲＡＭ３４に展開記憶させた上でこのビデオＲＡＭ３４の記憶内容からビデオ信号を発生して表示駆動部３５に出力する。
【００４７】
この表示駆動部３５は、送られてきた画像信号に対応して適宜フレームレート、例えば３０［フレーム／秒］で空間的光変調素子（ＳＯＭ）３６を表示駆動するもので、この空間的光変調素子３６に対して、例えば超高圧水銀灯等の光源ランプ３７が出射する高輝度の白色光を照射することで、その反射光で光像が形成され、上記投影レンズ１２を介して図示しないスクリーンに投影表示される。
【００４８】
しかるに、上記投影レンズ１２はレンズモータ（Ｍ）３８に駆動されることでズーム位置及びフォーカス位置を適宜移動する。
【００４９】
また、投影画像の撮影を行なう撮影モード時には、レンズモータ（Ｍ）３９によりズーム位置及びフォーカス位置が移動される上記撮影レンズ１３の光軸上に配置された、固体撮像素子であるＣＣＤ４０の撮像面に結像すると、ＣＣＤ４０から対応するアナログ値の画像信号が生成され、プロセス回路４１に送られる。
【００５０】
このプロセス回路４１は、ＣＣＤ４０で得た画像信号をデジタル化し、画素補間処理及びγ補正処理を含むカラープロセス処理を実施した上でデジタル値の輝度信号Ｙ及び色差信号Ｃｂ，Ｃｒを生成し、システムバスＳＢを介して画像圧縮／伸長部４２に出力する。
【００５１】
画像圧縮／伸長部４２は、輝度及び色差信号をＡＤＣＴ、ハフマン符号化等の処理によりデータ圧縮し、得た画像データを、このプロジェクタ装置１０の記録媒体として着脱自在に装着されるメモリカード４３に順次書込む。
【００５２】
また、メモリカード４３に記録された画像データを読出して投影表示する再生モード時においては、メモリカード４３に記録されている一連の動画を構成する個々の画像データを１フレーム単位で読出し、画像圧縮／伸長部４２で記録モード時にデータ圧縮した手順と全く逆の手順で圧縮されている画像データを伸長し、伸長した画像データを上記表示エンコーダ３３へ送出して、ビデオＲＡＭ３４、表示駆動部３５を介して空間的光変調素子３６を駆動させ、光源ランプ３７の出射光を照射してその反射光により光像を形成し、投影レンズ１２を介して投影表示する。
【００５３】
なお、メモリカード４３は着脱可能ではなく、半導体メモリではなく、ハードディスク装置などの本体に内蔵された大容量記憶媒体であってもよい。
【００５４】
上記各回路のすべての動作制御を司るのが制御部４４であり、この制御部４４は、ＣＰＵと、後述する投影モード及び再生モード時の該ＣＰＵで実行される動作プログラムを固定的に記憶したＲＯＭ、及びワークメモリとして使用されるＲＡＭ等により構成される。
【００５５】
この制御部４４にはまた、システムバスＳＢを介して音声処理部４５が接続される。
【００５６】
音声処理部４５は、ＰＣＭ音源等の音源回路を備え、投影モード及び再生モード時には音声データをアナログ化し、上記スピーカ１９を駆動して拡声放音させると共に、後述するプレゼンテーション練習モード時には、上記マイクロホン１４より入力された音声信号をデジタル化し、所定のデータファイル形式、例えばＭＰ３（ＭＰＥＧ−１  ａｕｄｉｏ  ｌａｙｅｒ  ３）規格にしたがってデータ圧縮して音声データファイルを作成してメモリカード４３へ送出する。
【００５７】
なお、上記本体メインキー／インジケータ１８とカバー２０内に備えられる本体サブキーによりキー／インジケータ部４６を構成し、また上記Ｉｒ受信部１５とＩｒ受信部２２とでＩｒ受信部４７を構成するもので、これらのキー操作信号、赤外光受信信号はいずれも直接制御部４４へ送出される。
【００５８】
次に上記実施の形態の動作について説明する。
【００５９】
図４及び図５は、電源キーのオン操作以後の、主として制御部４４が内部のＲＯＭに記憶されている動作プログラムに基づいて実行する処理内容について述べるものである。
【００６０】
その処理当初には、電源キーのオン操作に合わせて光源ランプ３７の点灯駆動を開始した後（ステップＡ０１）、このプロジェクタ装置１０の外部から入力される画像信号に基づいた投影表示を行なう投影モードでの動作を行なうか否か、すなわち上記入出力コネクタ部２１のいずれかの端子を介して画像信号が入力されているか否かを判断する（ステップＡ０２）。
【００６１】
ここで、入出力コネクタ部２１を介して画像信号が入力されていない状態では、メモリカード４３に記録されている内容を読出して再生するものとして再生モードでの処理に移行する。
【００６２】
また、入出力コネクタ部２１を介して画像信号が入力されており、投影モードでの動作を行なうと判断した場合には、次にリモートコントローラ３０のプレゼンテーション練習モードをセットする「プレゼン」キーが操作されたか否かをＩｒ受信部４７からの入力信号により判断し（ステップＡ０３）、操作されていなければ、そのまま入出力コネクタ部２１を介して入力される画像信号を用いた通常の投影動作を実行する（ステップＡ０４）、という処理を繰返し実行することで、通常の投影動作を実行しながら、リモートコントローラ３０の「プレゼン」キーが操作されるのを待機する。
【００６３】
しかして、リモートコントローラ３０の「プレゼン」キーが操作された場合、ステップＡ０３でこれを判断し、投影レンズ１２を介して投影されている画像のみならず、投影対象となるスクリーン近傍に位置してこのプロジェクタ装置１０を操作している筈のプレゼンタをも含んだ画像を撮影するように、撮影レンズ１３の画角を投影レンズ１２での投影画角に連動させ、より一定以上広くなるようにセットする（ステップＡ０５）。
【００６４】
この場合、投影レンズ１２での投影画角に対して撮影レンズ１３の撮影画角を一定以上広く確保できない場合には、可変範囲内で最大となる撮影画角をセットする。
【００６５】
その上で、プレゼンテーション練習モードを解除するための再度のリモートコントローラ３０の「プレゼン」キーの操作がないことを確認し（ステップＡ０６）、合わせて上記入出力コネクタ部２１のＵＳＢコネクタにＰＣ等の外部機器が接続されて外部記録する状態となっていないかどうかを確認し（ステップＡ０７）、さらにメモリカード４３に充分な空き容量があることを確認した後に（ステップＡ０８）、投影レンズ１２を介しての投影表示を実行し（ステップＡ０９）、同時に撮影レンズ１３を介して投影内容を含んだ周囲の画像を撮影する（ステップＡ１０）。
【００６６】
ここで、メモリカード４３に充分な空き容量がない場合には、その旨をプレゼンタにわかるように、投影されている画像に
「メモリがいっぱいです！」
というようなメッセージを付加して投影する（ステップＡ１２）。
【００６７】
撮影により得た画像信号をＣＣＤ４０からプロセス回路４１を介して得、画像圧縮／伸長部４２でデータ圧縮した後にメモリカード４３に記録すると（ステップＡ１１）、再度上記ステップＡ０６からの処理に戻って、同様の処理を繰返し実行する。
【００６８】
なお、上記ステップＡ０７で入出力コネクタ部２１のＵＳＢコネクタにＰＣ等の外部機器が接続されて外部記録する状態となっていると判断した場合には、ステップＡ１０でのメモリカード４３への記録に代えて、撮影して得た画像信号を該ＵＳＢコネクタから出力する処理を実行する。
【００６９】
そして、プレゼンテーション練習モードを解除するための再度のリモートコントローラ３０の「プレゼン」キーが操作された時点でステップＡ０６によりこれを判断し、撮影レンズ１３の画角を投影レンズ１２での投影画角に連動させ、投影レンズ１２を介して投影されている画像範囲がほぼ撮影される標準位置にセットしなおしてから（ステップＡ１３）、再び上記ステップＡ０２からの処理に戻る。
【００７０】
次に図５により、上記ステップＡ０２で入出力コネクタ部２１を介しての画像信号の入力がなく、メモリカード４３にすでに記録されている内容を読出して再生する再生モードでの処理に移行すると判断した場合の動作について説明する。
【００７１】
なお、ここでは説明を簡略化するために、メモリカード４３に記録されているのは動画データのみであり、静止画データや音声データは記録されていないものとする。
【００７２】
その処理当初には、メモリカード４３に記録されている動画データのそれぞれ先頭画像を用いた一覧表示を行なった上で（ステップＡ２１）、そのいずれかが選択されるのを待機する（ステップＡ２２）。
【００７３】
しかして、リモートコントローラ３０からの操作信号があり、動画データのいずれかが選択されたと判断すると、メモリカード４３に記録されている選択された動画を構成する画像データを１フレーム単位で読出し（ステップＡ２３）、画像圧縮／伸長部４２で読出した画像データを伸長し（ステップＡ２４）、伸長した画像データを表示エンコーダ３３へ送出して、ビデオＲＡＭ３４、表示駆動部３５を介して空間的光変調素子３６を駆動させ、光源ランプ３７の出射光を照射してその反射光により光像を形成し、投影レンズ１２を介して投影表示させる（ステップＡ２５）。
【００７４】
その後、リモートコントローラ３０の「Ｆｒｅｅｚｅ」キー操作による一時停止が指示されたか否か（ステップＡ２６）、上記表示した画像データがその動画データを構成する最後の画像データであったか否か（ステップＡ２７）を確認し、これらに該当しなければ再び上記ステップＡ２３からの処理を繰返し実行することで、動画データの再生に伴う投影表示を実行する。
【００７５】
動画データの再生途中で上記ステップＡ２６により一時停止が指示されたと判断した場合には、上記一連の動画再生を一時中断し、ビデオＲＡＭ３４に保持している画像データを更新記憶させて同一の画像投影を続行しながら、再度のリモートコントローラ３０の「Ｆｒｅｅｚｅ」キー操作による一時停止の解除が指示されるのを待機し（ステップＡ２８）、解除が指示された時点で再び上記ステップＡ２３からの処理に戻る。
【００７６】
そして、上記ステップＡ２７で動画データを構成する最後の１フレーム分の画像データの再生を終えたと判断した時点で、次の動画データの再生に備えて上記ステップＡ２１からの処理に戻る。
【００７７】
このように、「プレゼンテーション練習モード」を指定した場合には、プレゼンテーションで使用する投影画像のみならず、プレゼンテーションを行なうプレゼンタをも画像中に納めた画角で撮影することができるので、プレゼンテーションの練習風景を記録し、技術の修得に寄与できる。
【００７８】
図６は、このプレゼンテーション練習モードでの記録をプロジェクタ装置１０本体内のメモリカード３４ではなく、外部接続した機器、例えばパーソナルコンピュータ（ＰＣ）５１で行なって、その記録内容を再生している状態を例示するものである。
【００７９】
記録時と同様にプロジェクタ装置１０の入出力コネクタ部２１のＵＳＢコネクタとパーソナルコンピュータ５１とをＵＳＢケーブル５２で接続し、プロジェクタ装置１０では通常投影モードとしてＵＳＢコネクタからの入力画像を投影するものとして、パーソナルコンピュータ５１に記録されている、プレゼンテーション練習モードで記録したことで、プレゼンテーションの練習風景を容易にスクリーンＳＣに投影することができる。
【００８０】
この場合、メモリカード３４に比して非常に大容量のパーソナルコンピュータ５１内のハードディスク装置等を記録媒体として選択することができるので、空き容量等を気にせず、長時間に渡るプレゼンテーション等であってもその練習風景を記録できる。
【００８１】
また、プロジェクタ装置１０内のメモリカード３４と外部接続されたパーソナルコンピュータ５１等の機器とのいずれか一方に記録先を択一的に選択するのではなく、例えばメモリカード３４の空き容量がなくなったと判断した時点で、さらにパーソナルコンピュータ５１等が接続されていれば画像信号を出力するように自動的に切換えて、プレゼンテーション練習モードでの投影及び記録動作を続行するようにしてもよい。
【００８２】
さらに、特にリモートコントローラ３０に「プレゼン」キーを備え、そのキー操作によってプレゼンテーションの練習風景を記録する状態に即時移行できるので、より気軽にプレゼンテーションの練習を行なうことができる。
【００８３】
なお、上記実施の形態では、投影レンズ１２及び撮影レンズ１３共にレンズモータ３８，３９の制御により投影画像、撮影画像の自動合焦を行なうものとしてのみ説明したが、特に撮影系の撮影レンズ１３においては、撮影画像中の複数位置から１つを選択して自動合焦するものとし、制御部４４がプレゼンテーション練習モードでは上記撮影レンズ１３による投影位置画像位置に対応した、例えば一般にプレゼンタが位置すると思われる投影画像の右側近傍など、所定の自動合焦位置を指定するものとしてもよく、さらには、予め投影位置に対応した複数の自動合焦位置からプレゼンタに任意の位置を指定してもらい、その指定された位置の自動合焦を行なうものとして撮影を実施するようにしてもよい。
【００８４】
これにより、例えば投影画像とプレゼンタのいずれか一方に自動合焦させるなど、プレゼンタの意図通りの画像を撮影することで、より練習効果を確認しやすくなる。
【００８５】
また、上記実施の形態では、１フレーム分の画像を再生した後にその撮影された画像を撮影するものとして、確実に投影画像とフレーム同期をとった動画を撮影するものとしたので、投影画像のちらつきを排除して、投影される画像の内容をより確実に視認できる。
【００８６】
なお、上記実施の形態は、本発明をマイクロミラー素子等の空間的光変調素子を用いたプロジェクタ装置１０に適用した場合について説明したが、投影方式を限定するものではなく、液晶シャッタを用いたプロジェクタ装置でも同様に実現できる。
【００８７】
その他、本発明は上記実施の形態に限らず、その要旨を逸脱しない範囲内で種々変形して実施することが可能であるものとする。
【００８８】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【００８９】
【発明の効果】
請求項１記載の発明によれば、プレゼンテーションで使用する投影画像のみならず、プレゼンテーションを行なうプレゼンタの少なくとも一部をも１つの画像中に撮影することができるので、プレゼンテーションの練習風景を記録し、技術の修得に寄与できる。
【００９０】
請求項２記載の発明によれば、上記請求項１記載の発明の効果に加えて、簡単なモード指定によりプレゼンテーションの練習風景を記録する状態に即時移行できるので、より気軽にプレゼンテーションの練習を行なうことができる。
【００９１】
請求項３記載の発明によれば、上記請求項２記載の発明の効果に加えて、投影画像に対応した位置で自動合焦した画像を撮影することができるので、プレゼンテーションの練習風景としてより適した画像を撮影することができる。
【００９２】
請求項４記載の発明によれば、請求項３記載の発明の効果に加えて、例えば投影画像とプレゼンタのいずれか一方に自動合焦させるなど、プレゼンタの意図通りの画像を撮影することで、より練習効果を確認しやすくなる。
【００９３】
請求項５記載の発明によれば、上記請求項１記載の発明の効果に加えて、投影画像のちらつきを排除して、投影される画像の内容をより確実に視認できる。
【００９４】
請求項６記載の発明によれば、上記請求項１記載の発明の効果に加えて、記録媒体の容量等に優れた機器を外部接続することで、空き容量等を気にせず、長時間にわたって投影内容を含んだ光景を記録することができる。
【００９５】
請求項７記載の発明によれば、プレゼンテーションで使用する投影画像のみならず、プレゼンテーションを行なうプレゼンタの少なくとも一部をも１つの画像中に撮影することができるので、プレゼンテーションの練習風景を記録し、技術の修得に寄与できる。
【００９６】
請求項８記載の発明によれば、プレゼンテーションで使用する投影画像のみならず、プレゼンテーションを行なうプレゼンタの少なくとも一部をも１つの画像中に撮影することができるので、プレゼンテーションの練習風景を記録し、技術の修得に寄与できる。
【図面の簡単な説明】
【図１】本発明の実施の一形態に係るプロジェクタ装置の外観構成を示す斜視図。
【図２】同実施の形態に係るプロジェクタ装置のリモートコントローラのキー配列を例示する図。
【図３】同実施の形態に係る電子回路の機能構成を示すブロック図。
【図４】同実施の形態に係る主として投影モード時の処理内容を示すフローチャート。
【図５】同実施の形態に係る主として再生モード時の処理内容を示すフローチャート。
【図６】同実施の形態に係る外部接続したパーソナルコンピュータに記録したプレゼンテーション練習モードでの光景を再生表示している状態を例示する図。
【符号の説明】
１０…プロジェクタ装置、１１…本体ケーシング、１２…投影レンズ、１３…撮影レンズ、１４…マイクロホン、１５…Ｉｒ受信部、１６…ズームリング、１７…フォーカスリング、１８…本体メインキー／インジケータ、１９…スピーカ、２０…カバー、２１…入出力コネクタ部、２２…Ｉｒ受信部、２３…ＡＣアダプタ接続部、２４…固定脚部、２５…調整脚部、３０…リモートコントローラ、３１…入力インタフェース（Ｉ／Ｆ）、３２…画像変換部、３３…表示エンコーダ、３４…ビデオＲＡＭ、３５…表示駆動部、３６…空間的光変調素子（ＳＯＭ）、３７…光源ランプ、３８，３９…レンズモータ（Ｍ）、４０…ＣＣＤ、４１…プロセス回路、４２…画像圧縮／伸長部、４３…メモリカード、４４…制御部、４５…音声処理部、４６…キー／インジケータ部、４７…Ｉｒ受信部、５１…パーソナルコンピュータ（ＰＣ）、５２…ＵＳＢケーブル、ＳＢ…システムバス、ＳＣ…スクリーン。
【図１】
2005020282.tif 000003
【図２】
2005020282.tif 000004
【図３】
2005020282.tif 000005
【図４】
2005020282.tif 000006
【図５】
2005020282.tif 000007
【図６】
2005020282.tif 000008